(57)【要約】      （修正有）【課題】内部に蓄積する熱気と湿気を外部に効率よく放散することができ、しかも雨水が内部に侵入せず、常に快適な状態に保つことができる通気構造を有する布帛を提供する。【解決手段】上下に配置された上段布帛２と上端が玉縁処理された下段布帛３を重ね合せ、該重ね合せ部４の上下段布帛の間に、左下角部に縫代１１を有するメッシュ布帛で形成された収納空間内に長方形状の三次元立体編物１０が収納された通気部材５を配置し、該下段布帛の上端部が縫代１１を挟んで外側に折り返され、該下段布帛３の折返し片１３と下段布帛が縫代１１を介して縫着されるとともに、該収納空間の右上角部が上段布帛の下端を内側に折返した折返し片１３と縫着され、かつ、該折返し片の先端が上段布帛に接合されて下段布帛の上端部と上段布帛との間に第一の通気口、上段布帛の下端部と下段布帛との間に第二の通気口が設けられた通気構造を有する布帛である。【選択図】図１１
2013256746.tif 000002
【特許請求の範囲】
【請求項１】
上下に配置された上段布帛の下端部と下段布帛の上端部の重ね合せ部の間に、左下角部に縫代を有するメッシュ布帛で形成された四角筒状の収納空間と連結糸が上下段布帛に対して垂直方向となるように該収納空間内に収納された三次元立体編物からなる通気部材が配置され、該収納空間の右上角部が上段布帛の下端が内側に折返された折返し片と縫着され、かつ、該折返し片の先端が上段布帛に接合されるとともに、該下段布帛の上端部が収納空間の左下角部に設けられた縫代を挟んで折り返され、該折返された下段布帛と下段布帛が縫代を挟んで縫着されて、該下段布帛の上端部と上段布帛との間に第一の通気口、該上段布帛の下端部と下段布帛との間に第二の通気口が設けられたことを特徴とする通気構造を有する布帛。
【請求項２】
上下に配置された上段布帛の下端部と下段布帛の上端部の重ね合せ部の間に、左下角部に縫代を有するメッシュ布帛で形成された四角筒状の収納空間と連結糸が上下段布帛に対して垂直方向となるように該収納空間内に収納された三次元立体編物からなる通気部材が配置され、該収納空間の右上角部が細幅状の上段補助布帛の下部に縫着され、該上段補助布帛の上部が上段布帛に接合されるとともに、該下段布帛の先端部が収納空間の左下角部に形成された縫代を挟んで折り返され、該折返された下段布帛と下段布帛が縫代を挟んで縫着されて、該下段布帛の上端部と上段布帛との間に第一の通気口、上段布帛の下端部と下段布帛との間に第二の通気口が設けられたことを特徴とする通気構造を有する布帛。
【請求項３】
該下段布帛の先端が玉縁処理されたことを特徴とする請求項１又は２記載の通気構造を有する布帛。
【請求項４】
該上段布帛の折返し片又は上段補助布帛の上端部と下段布帛の先端部、下段布帛と該折返し片又は上段補助布帛の下端部がスポット的に止着、又は連結部材で連結されたことを特徴とする請求項１又は２記載の通気構造を有する布帛。
【請求項５】
該収納空間の左上角部が上段布帛の折返し片又は上段補助布帛の上端部と縫着され、かつ下段布帛と該折返し片又は上段補助布帛の下端部がスポット的に止着、又は連結部材で連結されたことを特徴とする請求項１又は２記載の通気構造を有する布帛。
【請求項６】
該収納空間の左上角部が上段布帛の折返し片又は上段補助布帛の上部と縫着され、かつ右下角部が下段布帛と縫着されたことを特徴とする請求項１又は２記載の通気構造を有する布帛。
【請求項７】
該下段布帛が細幅状の下段補助布帛と該補助布帛と連接された下段主布帛から構成され、該下段補助布帛の上端部が収容空間の左角部に形成された縫代を挟んで折り返され、該折返された下段補助布帛と下段補助布帛が縫代を挟んで縫着されるとともに、該下段補助布帛の下端部に下段主布帛が連接されたことを特徴とする請求項６記載の通気構造を有する布帛。
【請求項８】
請求項７記載の通気構造を有する布帛に使用する通気部材ユニットであって、上下に配置された細幅状の上下段補助布帛との間に、左下角部に縫代を有するメッシュ布帛で形成された四角筒状の収納空間と連結糸が上下段布帛に対して垂直方向となるよう収納された三次元立体編物からなる通気部材が配置され、該四角筒状の収納空間の左右上角部が細幅状の上段補助布帛の上下部に縫着され、該収納空間の左右下角部が細幅状の下段補助布帛の上下部に縫着されるとともに、該下段補助布帛の上端部が収納空間の左下角部に形成された縫代を挟んで折り返され、該折返された下段補助布帛と下段補助布帛が縫代を挟んで縫着されたことを特徴とする通気部材ユニット。
【請求項９】
該折返し片又は上段補助布帛の下端部と下段補助布帛の下端部又は下段布帛の夫々にスライドファスナーの左右の支持テープが取着され、該ファスナーのスライダーを移動させて、第二の通気口を開閉するよう構成したことを特徴とする請求項１乃至７のいずれか１項記載の通気構造を有する布帛。
【請求項１０】
請求項１乃至７、９のいずれか１項記載の通気構造を有する布帛を使用した上衣及び／又はズボン。
【請求項１１】
雨衣用フードの少なくとも頭の後方に重ね合わせ部が設けられた請求項１乃至７のいずれか１項記載の通気構造を有する雨衣用フード。
【請求項１２】
請求項１乃至７のいずれか１項記載の通気構造を有する布帛を使用したアウトドア製品。
【発明の詳細な説明】
【技術分野】
【０００１】本発明は、布帛の構造を変えることで機能性を高めた通気構造を有する布帛及び該布帛を使用した衣服、テントや幕などのアウトドア製品に関するものである。【０００２】本発明の通気構造を有する布帛は、内部に蓄積する熱気と湿気を外部に効率よく放散することができるため、作業着、ワイシャツ、ユニフォーム、ジャンパー、コート、カジュアルウエア、運動用衣服、学生服、スポーツウエア、アンダーウエアなどの衣服に使用される。
特に、通気性が乏しい防水性の布帛、例えば、繊維製品をポリウレタンやポリエステルなどの樹脂でコーティング、あるいは、ナイロン、ポリエステルなどの樹脂シートやゴムシートなどを使用した防水性の布帛は、例えばレインコート、レインスーツ、各種作業着、ヤッケ、アノラック、ウインドブレーカー、トレーナー、ポンチョ、登山衣、ブルゾン、ジャンバーなどの各種衣服や、仮設用、レジャー用、オートキャンプ用、仮設建築などのテント、トラックや乗用車の幌、温室用ビニールハウスなどのアウトドア製品などに好適である。
また、該布帛は、強風時に受ける風圧を外部に効率よく放散して風圧を減衰させるため、露天での設営に使用される幔幕、陣幕、工事現場で使用される養生幕、広告宣伝用の横断幕、懸垂幕・垂れ幕、さらに雨傘、日傘などのアウトドア製品や雨衣のフードなどにも使用される。
以下の説明では、ポリエステル系繊維、ポリビニルアルコール系繊維、綿・麻などの天然繊維、レーヨンなどの再生繊維等を使用した織物、編物などの繊維製品、該繊維製品に樹脂をコーティン，または樹脂フィルムを積層したシート、ナイロン、ポリエステル、ポリエチレン、ポリプロピレン、それらを併用した樹脂シート、さらに裏面をウレタンコーティング、ウレタンラミネートあるいはアクリルコーティングにより防湿加工を施した防水透湿性の複合シート、ゴムシートなどを総称して布帛という。
本発明は主として通気構造を有する布帛を使用した衣服について説明する。
【背景技術】
【０００３】従来より、作業服やワイシャツ等の衣服は暑い時期、特にシャツなどのアンダーウエアを着用した場合には発汗し易く、衣服内部が蒸れて不快感を生じるとともに、発汗して蒸れた状態で冷房設備が備えられた建物内に入ると、急激に体温が低下して体に多大な負担をかける。そのため通気性や透湿性を備えた布帛が要望されている。
特に、雨天に着用するレインコート、レインスーツなどの雨衣に使用する布帛は、通気性が乏しく、内部が蒸れて発汗して不快感を生じるため、防水性とともに、通気性と透湿性の両方の機能を備えた布帛が強く要望されている。
近年、防水性と透湿性の両方の機能を備えた布帛として、防水透湿性フィルムを布帛に積層した防水透湿性布帛や、防水透湿性フィルムの表面に織物の表生地を積層し、その裏面に裏生地を積層した防水透湿性布帛などが提案されている（特許文献１、特許文献２、特許文献３参照）。【０００４】しかしながら、従来の防水透湿性を有する布帛には、次のような問題があった
（１）布帛の表面に水膜ができると通気孔が塞がれて透湿性が低下する。例えば、防水透湿性布帛を使用した衣服は、長年の使用により衣服表面の撥水性能が低下して表面に水膜ができたり、また、綿生地のような保水性のアンダーウエアを着用した場合には、綿生地が汗を吸って濡れて水膜の役割をし、該水膜が布帛の透湿性を阻害する。
（２）防水透湿性を有する布帛を使用した衣服は、内部で発生した水蒸気の蒸気圧が外気圧以上に上昇しないと布帛を透過しないため、蒸気圧が上昇するまで衣服内部は蒸れた状態になる。
（３）水透湿性フィルムの強度を上げるためにフィルムに織物、編物等の布帛を積層すると防水透湿性布帛の製造コストがアップするため防水透湿性布帛は高価である。
（４）防水透湿性布帛を使用したスポーツ用の雨衣は、例えばゴルフでは、布帛に通気性がないため風であおられた時などに布帛が擦れて発生する音が耳障りで不快である。特にスイング時の耳障りな音と雨衣の上衣が体にまとわりつくことでスムースなスイングができない。
（５）テント、例えば宿営用テントなどに使用される布帛は、長期間にわたり居住者が生活することや、パソコン等の電子機器、通信機器等が長期間設置されることなどから、テント内部が蒸れるが、透湿量が少ないため蒸れの解消が困難である。【０００５】本発明者らは、従来の防水防湿性を有する布帛及び該布帛を使用した衣服を徹底的に検討した結果、従来の防水透湿性布帛を使用した衣服、例えばレインコートなどの雨衣は布帛に通気性がないため基本的に上記問題点の解決が困難であるとの結論に到達し、布帛に通気口を設け、かつ該通気口からの雨水侵入を防止することで
（１）通気性が向上し、かつ、通気口から流出する空気が衣服内部の湿気を同伴するため蒸れも解消できる。
（２）通気口からの雨水の侵入を確実に阻止する構造を採用することで雨衣の防水性が確保される。
ことを見出し、更に検討した結果、布帛を上下に分割し、該分割された上段布帛の下部と下段布帛の上部を重ね、かつ、該下段布帛の上端部を外側に折り返して雨水浸入防止用堰を形成し、該折り返し片と上段布帛の端部を、例えば３次元立体織物などの連結手段で連結して、該折り返し片と上段布帛との間に第一の通気口、該上段布帛の端部と下段布帛との間に第二の通気口を設け、該上段布帛の端部と重ね合せ部より下方の下段布帛を細幅の布帛で連結した通気性衣服を提案した（特許文献４参照）。【０００６】本発明者らが提案した、通気口を有する通気性衣服、例えば雨衣は、
（１）第二の通気口から流入する雨水が雨水浸入防止用堰で阻止される。
（２）第二の通気口から流入する空気が内部で発生する水蒸気を伴って第一の通気口から外部に排出される。
（３）上段布帛の端部と重ね合せ部より下方の下段布帛を細い布帛で連結することで、風の強い時に上段布帛の端部の捲き上がりが防止される。
など布帛構造によって防水防湿性に加えて通気性を有する雨衣の画期的な提案であったが、雨衣の装着者が前屈みになったり、両手を前で組むと、三次元立体編物の多数の連結糸が露出するとともに、背面に設けられた重ね合せ部の上段布帛が横方向に引っ張られて第一及び第二の通気口を塞ぐことがある。通気口が塞がれると通気性低下と同時に透湿性も低下する。また下段布帛が下方に垂れさがって型崩れすることがある。更に、連結手段に使用する不織布や三次元立体編物は厚くて、柔らかいため上段布帛との縫着が困難で、例え縫着できたとしても縫着ラインに発生する凹凸と、使用後に乾燥した縫着糸の収縮により発生する皺が雨衣の表面に現れて外観を著しく損なうなどの問題があった。
【先行技術文献】
【特許文献】
【０００７】
【特許文献１】特開２００２−６１００９号公報
【特許文献２】特開昭６０−３９０１４号公報
【特許文献３】特開平１０−２９８８６９号公報
【特許文献４】特許第４６９７５６０号公報
【発明の概要】
【発明が解決しようとする課題】
【０００８】したがって、本発明の第一の目的は、三次元立体編物と布帛との縫着が容易で、しかも縫着ラインに凹凸が発生せず、また縫着糸が収縮しても縫着ラインに発生する皺が布帛の表面に現れない通気構造を有する布帛を提供することである。
本発明の第二の目的は、該通気構造を有する布帛を使用した雨衣の装着者が前屈みなどの姿勢をとっても三次元立体編物を構成する多数の連結糸が露出せず、しかも通気口の閉塞がなく、通気性や透湿性が損なわれることのない通気構造を有する布帛を提供することである。
本発明の第三の目的は、下段布帛の垂れ下がりが防止されることにより型崩れしない通気構造を有する布帛を提供することである。
本発明の第四の目的は、布帛の撥水性が低下して布帛の表面が濡れたとしても、雨水が第一の開口から内部に侵入しない通気構造を有する布帛を提供することである。
本発明の第五の目的は、上記通気構造を有する布帛を使用した通気性を有する安価な衣服、アウトドア製品を提供することである。
本発明の第六の目的は、強風時に受ける風圧を外部に効率よく放散して、風圧を減衰させる雨衣のフード、幕、傘などを提供することである。
【課題を解決するための手段】
【０００９】本発明者らは、上記目的を達成するため鋭意検討した結果、本発明に到達したものである。すなわち、本発明は、
１．上下に配置された上段布帛の下端部と下段布帛の上端部の重ね合せ部の間に、左下角部に縫代を有するメッシュ布帛で形成された四角筒状の収納空間と連結糸が上下段布帛に対して垂直方向となるように該収納空間内に収納された三次元立体編物からなる通気部材が配置され、該収納空間の右上角部が上段布帛の下端が内側に折返された折返し片と縫着され、かつ、該折返し片の先端が上段布帛に接合されるとともに、該下段布帛の上端部が収納空間の左下角部に設けられた縫代を挟んで折り返され、該折返された下段布帛と下段布帛が縫代を挟んで縫着されて、該下段布帛の上端部と上段布帛との間に第一の通気口、該上段布帛の下端部と下段布帛との間に第二の通気口が設けられたことを特徴とする通気構造を有する布帛である。
２．上下に配置された上段布帛の下端部と下段布帛の上端部の重ね合せ部の間に、左下角部に縫代を有するメッシュ布帛で形成された四角筒状の収納空間と連結糸が上下段布帛に対して垂直方向となるように該収納空間内に収納された三次元立体編物からなる通気部材が配置され、該収納空間の右上角部が細幅状の上段補助布帛の下部に縫着され、該上段補助布帛の上部が上段布帛に接合されるとともに、該下段布帛の先端部が収納空間の左下角部に形成された縫代を挟んで折り返され、該折返された下段布帛と下段布帛が縫代を挟んで縫着されて、該下段布帛の上端部と上段布帛との間に第一の通気口、上段布帛の下端部と下段布帛との間に第二の通気口が設けられたことを特徴とする通気構造を有する布帛である。
３．該下段布帛の先端が玉縁処理されたことを特徴とする（１）又は（２）記載の通気構造を有する布帛である。
４．該上段布帛の折返し片又は上段補助布帛の上端部と下段布帛の先端部、下段布帛と該折返し片又は上段補助布帛の下端部がスポット的に止着、又は連結部材で連結されたことを特徴とする（１）又は（２）記載の通気構造を有する布帛である。
５．該収納空間の左上角部が上段布帛の折返し片又は上段補助布帛の上端部と縫着され、かつ下段布帛と該折返し片又は上段補助布帛の下端部がスポット的に止着、又は連結部材で連結されたことを特徴とする（１）又は（２）記載の通気構造を有する布帛である。
６．該収納空間の左上角部が上段布帛の折返し片又は上段補助布帛の上部と縫着され、かつ右下角部が下段布帛と縫着されたことを特徴とする（１）又は（２）記載の通気構造を有する布帛である。
７．該下段布帛が細幅状の下段補助布帛と該補助布帛と連接された下段主布帛から構成され、該下段補助布帛の上端部が収容空間の左角部に形成された縫代を挟んで折り返され、該折返された下段補助布帛と下段補助布帛が縫代を挟んで縫着されるとともに、該下段補助布帛の下端部に下段主布帛が連接されたことを特徴とする（６）記載の通気構造を有する布帛である。
８．（７）記載の通気構造を有する布帛に使用する通気部材ユニットであって、上下に配置された細幅状の上下段補助布帛との間に、左下角部に縫代を有するメッシュ布帛で形成された四角筒状の収納空間と連結糸が上下段布帛に対して垂直方向となるよう収納された三次元立体編物からなる通気部材が配置され、該四角筒状の収納空間の左右上角部が細幅状の上段補助布帛の上下部に縫着され、該収納空間の左右下角部が細幅状の下段補助布帛の上下部に縫着されるとともに、該下段補助布帛の上端部が収納空間の左下角部に形成された縫代を挟んで折り返され、該折返された下段補助布帛と下段補助布帛が縫代を挟んで縫着されたことを特徴とする通気部材ユニットである。
９．該折返し片又は上段補助布帛の下端部と下段補助布帛の下端部又は下段布帛の夫々にスライドファスナーの左右の支持テープが取着され、該ファスナーのスライダーを移動させて、第二の通気口を開閉するよう構成したことを特徴とする（１）乃至（７）のいずれか１項記載の通気構造を有する布帛である。
１０．（１）乃至（７）、（９）のいずれか１項記載の通気構造を有する布帛を使用した上衣及び／又はズボンである。
１１．雨衣用フードの少なくとも頭の後方に重ね合わせ部が設けられた（１）乃至（７）のいずれか１項記載の通気構造を有する雨衣用フードである。
１２．（１）乃至（７）のいずれか１項記載の通気構造を有する布帛を使用したアウトドア製品である。
【発明の効果】
【００１０】本発明の通気構造を有する布帛は、
（１）メッシュ布帛で形成された四角筒状の収納空間内に、三次元立体編物を構成する連結糸を上下段布帛に対して垂直方向に収納しているため連結糸が露出することがない。
（２）雨摘は三次元立体編物を構成する多数の連結糸に接触して捕捉され布帛内部への侵入が阻止される。
（３）収納空間の右上角部を細長状の上段補助布帛に縫着し、該補助布帛の上端を上段布帛に接合するとともに、左下角部を下段布帛と縫着し、かつ、下段布帛の先端部を収納空間の左下角部に形成された縫代を挟んで折り曲げて、その先端部と下段布帛が縫代を挟んで縫着されることで布帛の製作が容易となり、かつ上段布帛の上端が第一の開口を塞いで通気面積を減少させることもない。
（４）薄い布帛の場合は、下段布帛の上端を玉縁処理して剛性を付与することで型崩れが防止できる。
（５）収納空間の左右上角部を上段補助布帛に縫着し、該補助布帛を上段布帛に接合することにより、上段布帛の表面に縫着ラインや縫着糸の収縮により発生する皴が現れない。
（６）通気部材を上段補助布帛と下段布帛の間に予め縫着しておくことで通気構造を有する布帛の製作が容易となり、コストダウンが可能である。
（７）本発明の通気構造を有する布帛を使用した衣服やアウトドア製品は、生体に対する負担度が少なく、疲労が少ない。
という優れた効果を奏している。
【図面の簡単な説明】
【００１１】
【図１】通気構造を有する布帛（１）の模式図
【図２】通気構造を有する布帛（２）の模式図
【図３】通気構造を有する布帛（３）の模式図
【図４】通気構造ユニットの模式図
【図５】通気部材の模式図
【図６】通気構造を有する布帛（１）の改良図
【図７】通気構造を有する布帛（４）の模式図
【図８】通気構造を有する布帛（４）の改良図
【図９】通気構造を有する布帛（５）の模式図
【図１０】通気構造を有する布帛（５）の使用状態の説明図
【図１１】下段布帛の先端部構造の詳細図
【図１２】下段布帛の先端部構造の製作方法の説明図
【図１３】スライドファスナーを取り付けた重ね合せ部の模式図
【図１４】通気性の布帛（５）の製作方法の説明図
【図１５】雨衣（１）の前面模式図
【図１６】雨衣（１）の背面模式図
【図１７】雨衣（２）の前面模式図
【図１８】雨衣（２）の背面模式図
【図１９】雨衣（３）の前面模式図
【図２０】雨衣（３）の背面模式図
【図２１】ズボン（１）の模式図
【図２２】雨衣（４）の前面模式図
【図２３】雨衣（４）の背面模式図
【図２４】ズボン（２）の模式図
【図２５】作業着の前面模式図
【図２６】作業着の背面模式図
【図２７】ジャンバーの前面模式図
【図２８】ジャンバーの背面模式図
【図２９】ランニングウエアの前面模式図
【図３０】袖口の模式図
【図３１】傘、又はパラソルの模式図
【図３２】屋外用遮蔽幕の模式図
【図３３】簡易設営テントの模式図
【図３４】幌付トラックの模式図
【図３５】外気温とカッパ内温度の差の変化を示すグラフ
【図３６】外気温と３種類のカッパ内温度との差の変化を示すグラフ
【図３７】被験者の心拍数の変化を示すグラフ
【図３８】被験者の酸素摂取量の変化を示すグラフ
【図３９】被験者の酸素脈の変化を示すグラフ
【発明を実施するための形態】
【実施例】
【００１２】次に本発明の通気構造を有する布帛の一実施例を図面にて説明する。図１は上下に配置された二枚の布帛からなる通気構造を有する布帛１の一例を示す模式図であり、上段布帛２と下段布帛３は通気部材５を挟んで重ね合わせた重ね合せ部４を形成している。通気部材５はメッシュ布帛からなる収納空間９と該収納空間内に連結糸が上下段布帛に対して垂直方向となるよう収納された三次元立体編物１０で構成されている。メッシュ布帛からなる収納空間９内に三次元立体編物１０を収納したため多数の連結糸が露出することがない。
また、下段布帛３の上端は型崩れと第一の開口か塞がれるのを防止のため玉縁処理（パイピング）されている。剛性のある布帛、例えばテント用の帆布やゴムシートなどは型崩れ防止のための玉縁処理をしなくてもよい。下段布帛の上端部は通気部材５を形成する収納空間９の左下角部Ａに設けられた帯状の縫代１１を挟んで外側に折返されている。該下段布帛の折返し片１３’と下段布帛３が折返し部近傍で帯状の縫代１１を挟んで縫着一体化されている。
更に、上段布帛２の下端を内方に折返した折返し片１３に、収納空間の右上角部Ｄが縫着されている。折返し片１３の先端は目止めテープ１４で上段布帛２に接合されている。目止めテープの代わりに接着剤で折返し片１３の先端部を上段布帛２の内面に接着してもよい。目止めテープで接合する場合は、布帛の表面が目止めテープの接着面になるため、布帛の表面に被覆された樹脂を除去するか、又は、折返し片１３の上端部を内方に折返してその端部を折返し片１３に縫着して布帛の裏面を接着面とする必要がある。
［図１］では、収納空間の左右上角部が上段布帛２の端部を内方に折返した折返し片１３に接合されるため、メッシュ布帛と折返し片の縫着部で発生する皺や縫着ラインが上段布帛２の表面に現れず外観を損ねることがない。６は下段布帛３の上端部と上段布帛２との間に形成された第一の通気口であり、７は上段布帛２の下端部と下段布帛３との間に形成された第二の通気口である。【００１３】［図２］は、上段布帛２の下端を内方に折返した折返し片１３の代わりに細幅状の上段補助布帛２’を使用した例であり、通気部材５を構成するメッシュ布帛からなる収納空間９の右上角部Ｄが上段補助布帛２’に縫着されている。上段補助布帛２’は上段布帛２の裏面に接合、例えば上段補助布帛２’を上段布帛２の裏面に貼着したり、上段補助布帛２’の上下端を目止めテープ又は縫着によって上段布帛に接合している。［図２］は目止めテープ１４で接合している。縫着の場合は図に示すように上段補助布帛２’の下端を、三つ折りした上段布帛２の折り曲げ部に挿入して縫着することが好ましい。本発明の布帛を製造する際に、上段補助布帛２’を上段布帛２に接合する工程を最終工程とすると通気構造を有する布帛の製造が容易となり、製造コストが低減できる。【００１４】［図３］は下段補助布帛３’と下段主布帛３”からなる下段布帛３を使用した例であり、下段補助布帛３’と下段主布帛３”は縫着、又は溶着あるいは接着などで接合一体化されて下段布帛３を構成している。下段補助布帛３’と下段主布帛３”の接合部は通気部材５より下部が好ましい。下段補助布帛３’の上端部は通気部材５を形成する収納空間の左下角部Ａに設けられた帯状の縫代１１を挟んで外側に折返されている。該折返された下段補助布帛３’の折返し片１３’と下段補助布帛３’が折返し部近傍で帯状の縫代１１を挟んで縫着一体化されている。予め通気部材５の上下面に上段補助布帛２’と上段補助布帛３’を逢着した通気部材ユニットを製作しておくと通気構造を有する布帛の製作が容易となり、コストダウンを図ることができる。【００１５】［図４］は通気部材ユニット１５の一例であり、通気部材５を構成する収納空間９の少なくとも右下角部が細幅状と下段補助布帛３’縫着され、左右上角部が上段補助布帛２’と縫着されている。下段補助布帛３の上端部が通気部材５を形成する収納空間の左下角部Ａから突出する帯状の縫代１１を挟んで外側に折返され、該下段補助布帛３’の折返し片１３’と下段補助布帛３’が折返し部近傍で縫代１１を挟んで縫着一体化されている。下段補助布帛３’の下端部は収納空間の右下角部Ｃと縫着されている。また、上段補助布帛２’の上下端部は収納空間の左右上角部Ｂ、Ｄと縫着されている。通常該上下段補助布帛２’、３’は上下段布帛２、３と同じ布帛が使用されるが、二枚の布帛の縫着が困難な帆布、ゴムシートなどの厚い布帛の場合は上下段補助布帛２’、３’に上下段布帛２、３と同じか異なる素材からなる薄い布帛を使用することが好ましい。【００１６】下段布帛３と上段布帛２又は上段補助布帛２’の間に配置される通気部材５は、［図５］に一部断面で示すようにメッシュ布帛８で形成された角筒状の収納空間９と、該収納空間９内に連結糸が上下段布帛に対して垂直方向となるよう収納された三次元立体編物１０で構成されている。
収納空間９は一枚のメッシュ布帛８を角筒形状に形成し、左下角部Ａに折り曲げたメッシュ布帛８の両端を重ね合せて突出させた通常幅０．５〜１．５ｃｍの帯状の縫代１１が設けられている。該収納空間９の左下角部で上下のメッシュ布帛８を縫着することにより角筒形状が形成される。
また、収納空間９の長手方向の左右両端には隣接する布帛との縫着作業を容易に、かつ縫着ラインに凹凸を発生させないための縫代１１’を設けることが好ましい。更に、三次元立体編物１０の下面に薄い緩衝部材を収納空間９の左下角部Ａに突出させて配置するとメッシュ布帛で挟持すると帯状の縫代１１の形体が保持されて好ましい。該緩衝部材は通気性を有する厚さ０．５〜５ｍｍの不織布、三次元立体編物などが用いられる。通常三次元立体編物が好ましく用いられる。
メッシュ布帛８は三次元立体編物１０の紫外線による劣化を防止するため、紫外線が透過し難い、例えば黒や紺色などの暗黒色系統の布帛が好ましい。暗黒色系統の色でない場合は通気部材５が目立たない色、例えば上下段布帛と類似した色が好ましい。
三次元立体編物１０の連結糸に垂直方向から流入する雨摘は疎水性の連結糸に付着し、更にその上に微細な雨滴が付着する現象の繰り返しにより微細な雨滴が集合して次第に大きく成長し、ついには、大きな雨滴の集合物（例えば直径２０〜１００μｍ）として流れ出るため雨滴の侵入が確実に阻止される。【００１７】通気部材５に使用される三次元立体編物１０は、通気抵抗が少なく、かつ雨摘の透過を阻止するために、厚さが５〜１５ｍｍ、好ましくは８〜１０ｍｍ、幅が１０〜４０ｍｍ、好ましくは１５〜２５ｍｍの三次元立体編物が使用される。厚さが５ｍｍ以下では通気面積が少ない。また、厚さは厚い程望ましいが、厚さ１５ｍｍ以上の立体織物は市販されていない。三次元立体編物１０の幅が１０ｍｍ以下では立体織物の切断が困難である。幅が４０ｍｍ以上では通気性が低下して実用的でない。三次元立体編物の厚さと幅は、特に衣服では着心地やデザインなどを考慮して決定される。
三次元立体編物１０は、表裏二層の編地を連結糸で連結した構造であり、例えば特開平１０−１０２３６３号公報、特開２０００２−１３８３５２号公報、特開平０２−７４６４８号公報などに記載されている。三次元立体織物は、通常ダブルラッセル編機、ダブルトリコット編機、ダブル丸編機、Ｖベッドを有する横編機等で編成される。表裏面二層の編地を構成する糸としてはポリエステル系繊維、ポリエチレン繊維、ポリプロピレン繊維、ポリ塩化ビニル繊維、ポリ塩化ビニリデン繊維などの疎水性の繊維が用いられる。また表裏面二層の編地を連結する連結糸は上記表裏面二層の編地と同じ繊維が使用されるが、通常圧縮回復率の優れたポリエステル系繊維が好ましく用いられる。また、三次元立体編物は各繊維メーカー、例えば、ユニチカ（株）から「キュービックアイ▲Ｒ▼」、住江織物（株）から「スウィングネット▲Ｒ▼」、旭化成せんい（株）から「フュージョン▲Ｒ▼」などの商品名で販売されている。本発明では上記各社の三次元立体編物の中から用途に応じて最適の商品が使用される。【００１８】［図６］に示す通気構造を有する布帛は、風雨の強い時に上段布帛２の下端部が通気部材５とともに風で捲り上ったり、下段布帛が下方に垂れさがって型崩れするなどの［図１］の布帛の問題点を解消したものであり、下段布帛３の上端部と上段布帛２、上段布帛２の折返し片１３の下端部と下段布帛３が、例えば１０〜２０ｃｍ間隔でスポット的に縫着、またはボタン、ピン等の留め具で止着、あるいはテープ状布帛などの連結手段１６で連結されている。該連結手段１６によって上段布帛２の下端部の捲り上りや型崩れが防止できる。【００１９】［図７］に示す通気構造を有する布帛１は、［図１］の布帛の型崩を防止したものであり、上段布帛２の下端を内方に折返した折返し片１３に収納空間の左右上角部Ｂ、Ｄが縫着されている。そのため第一の開口の開口面積が一定となり、風雨の流入量が制御される。しかし風雨の激しい時には、上段布帛２の下端部が通気部材５とともに風で捲りあがり、第二の通気口７が拡大して大量の風雨が布帛内に流入する恐れがある。上段布帛２の捲き上がりは、［図８］に示すように上段布帛２の折返し片１３と重ね合せ部４より下方の下段布帛３を、例えば１０〜２０ｃｍ間隔でスポット的に縫着、またはボタン、ピン等の留め具で止着あるいはテープ状布帛や紐などの連結手段１６で連結することにより防止できる。【００２０】［図９］は、上段布帛２の下端部の捲り上りがなく、型崩れのない通気構造を有する布帛１である。該布帛は収納空間９の上下左右の四角部Ａ、Ｂ、Ｃ、Ｄが夫々下段布帛３と上段布帛２の折返し片１３に縫着されているため下段布帛の垂れ下がりが目立たないほどに少なく、しかも上段布帛の下端部の捲き上がりもない。型崩れしやすい薄い布帛の場合は下段布帛の先端を玉縁処理することで垂れ下がりを確実になくすことができる。図では通気部材５を構成する三次元立体編物１０の底部に薄い緩衝部材１０’を設けている。
上記通気構造を有する布帛を製作する場合は、上段補助布帛２’と下段補助布帛３’間に通気部材５を構成する収納空間を縫着した図４の通気部材ユニット１５を使用するとの布帛の製作が容易である。【００２１】［図１０］は［図９］に示す通気構造を有する布帛を使用した雨衣の使用状態を示す模式図であり、雨摘を含む外気は矢印Ｘのように第二の開口７から三次元立体編物を構成する多数の連結糸に垂直方向から内部に侵入するが、外気は三次元立体編物を通過する。一方雨摘は多数の連結糸で捕捉されて雨衣の内部への侵入が阻止される。雨衣内に流入した外気は雨衣内の暖かく湿った空気を同伴しながら矢印Ｙのように第一の開口６から三次元立体編物を経て外部に排出される。また、下段布帛の先端部近傍で折返された折り返し片１３’が堰となり、布帛の撥水性が低下した時に発生する水膜の侵入を阻止する。【００２２】［図１１］は［図１］の下段布帛３の上端部構造の一例を示す詳細図であり、下段布帛３の上端はバイアス布、テープ、リボン、撚糸やコードなどの芯材１２を包むように玉縁処理（パイピング）が施されている。玉縁処理されたテープ、例えばパイピングテープを下段布帛３の上端に取付けてもよい。玉縁処理された下段布帛３の上端が通気部材５を構成する収納空間の左下角部Ａに設けられた帯状の縫代１１を挟んで外側に折返され、該折返された下段布帛３が帯状の縫代１１を挟んで下段布帛３と先端部近傍で縫着される。下段布帛３の先端部で二枚の布帛と二枚のメッシュ布帛が縫着一体化され、更に一方の布帛の先端が玉縁処理されているため先端部が硬くなり、下段布帛が引っ張られたとしても型崩れすることはない。しかし、重ね合せ部４が着用者の背中に当たって圧迫され着心地が悪くなる恐れがある。そのため柔らかい布帛では玉縁の芯材に柔らかい芯材、例えば糸芯などを使用することが好ましい。硬くて厚い布帛では玉縁処理はしなくてもよい。また、下段布帛の先端部近傍で折返された下段布帛と縫着された縫着ラインが堰となり、該堰で雨水の侵入が阻止される。【００２３】［図１２］は下段布帛３の上端部構造の製作方法を示す図であり、まず下段布帛の上端を複数本の糸芯からなる芯材１２を包んで玉縁処理を行う（第一工程）、次いで玉縁処理された下段布帛３の上端部を通気部材５を構成する収納空間９の左下角部Ａに設けられた帯状の縫代１１を挟んで折返し（第二工程）、最後に下段布帛３の折返し片１３’と下段布帛３が縫代１１を挟んで縫着される（第三工程）。【００２４】本発明の通気構造を有する布帛１を衣服に使用する場合は、衣服とシャツなどのアンダーウエアとの密着防止と、衣服着用時に重ね合せ部４に形成された第一の通気口６に手を引掛けないよう、布帛１の内側に通気性の裏地、例えばメッシュ布帛などを設けることが好ましい。通気性の裏地によりアンダーウエアと衣服との間に隙間が形成されて通気性が向上し、かつアンダーウエアとのべとつき等がなく清涼感を保つことができる。通気構造を有する布帛をアウトドア製品に使用する場合は裏地を取り付けなくてもよい。【００２５】［図１３］は、通気構造を有する布帛１の第二の通気口７をスライドファスナー１８によって、開閉、又は開口幅の調整が可能な重ね合せ部４の詳細図であり、［図１３（１）］は［図１］に示す通気構造を有する布帛１を構成する上段布帛２の折返し片１３の下端部と、重ね合せ部４より下方の下段布帛３に各々スライドファスナー１８の一対の支持テープ１９、２０が取り付けられている。支持テープ１９、２０は第二の通気口７から流入する雨摘が支持テープと布帛との縫着部に溜まらないように下向きに取付けることが好ましい。また、スライダー（図示せず）は一つ、又は左右に各々一つ取り付けられる。左右に各々一つ取り付けると、第二の通気口７の位置及び開口幅が調整できて好ましい。第二の通気口７をスライドファスナー１８によって開閉したり、開口幅を調整することで、内部に流入する気体の流入量が調整でき、冬山登山者での低体温症防止に役立てることができる。
［図１３（２）］は［図４］の通気部材ユニット１５の上下段補助布帛２’、３’に左右のスライドファスナー支持テープ１９、２０を取り付け例であり、通気性部材ユニットを上下段補助布帛２’、３’に取付けるときは、スライドファスナーの右支持テープ２０を上段布帛（図示せず）と上下段補助布帛２’の端部に挟み、左支持テープ１９を下段布帛（図示せず）と下段補助布帛３’の端部に挟んで縫着すると仕上がりが綺麗である。【００２６】次に、［図９］に示す通気構造を有する布帛１の製作方法の一例を［図１４］にて説明する。まず、下端部を内方に折返した折返し片１３を有する上段布帛２を用意し、該折返し片１３の下部に収納空間を形成するメッシュ布帛８を配置して、収納空間の左右上角部Ｂ、Ｄに対応する位置で折返し片１３と縫着する（第一工程）。次に、玉縁処理された下段布帛３をメッシュ布帛８の下部に配置し、収納空間の右下角部Ｃに対応する位置で下段布帛３と縫着する（第二工程）。次いで、所定の幅に裁断された三次元立体編物１０を上下段布帛２、３間に取付けられたメッシュ布帛８の間に挿入した後、メッシュ布帛８を三次元立体編物１０に沿って保形して収納空間の左下角部Ａで上下側メッシュ布帛を縫着し収納空間を形成する。また、収納空間の左下角部Ａで上下側メッシュ布帛を突出させて縫代１１を設ける。（第三工程）。玉縁処理された下段布帛３の先端部をメッシュ布帛８に設けられた縫代１１を挟んで外方に折返し、該下段布帛３の折返し片１３’と下段布帛を縫着する（第四工程）。最後に上段布帛２の折返し片１３の先端を目止めテープ１４で上段布帛と接合する（第五工程）。上記第三工程で三次元立体編物１０を上下段布帛２、３の間に挿入せずに、メッシュ布帛８を四角筒状に保形して収納空間の左下角部Ａに上下側メッシュ布帛を重ねて突出させた縫代１１を設けた後、左下角部Ａで上下側メッシュ布帛を縫着して収納空間を形成し、次の第四工程で玉縁処理された下段布帛３の先端部を縫代１１を挟んで外方に折返し、該下段布帛３の折返し片１３’と下段布帛を縫着する。その後収納空間の端部開口から三次元立体編物１０と同じ断面を有するガイド用四角柱状体に続いて三次元立体編物１０を導入することによって通気構造を有する布帛を製作することもできる。【００２７】［図１５］は本発明の通気構造を有する布帛１を使用した雨衣２１の前面模式図であり、左右の前身頃ａ，ａ’の上下二カ所に夫々重ね合せ部４が設けられている。また、左右の脇見頃ｂ、ｂ’の上部に通気部２４が設けられている。該通気部２４は多数の通気孔を設けていても、上下の布帛を重ね合わせて上下の布帛の隙間にメッシュ布帛や薄い三次元立体編物を設けてもよい。２５は左右の脇見頃に設けられた脇ポケットである。帽子２３は雨衣の首回りに予め取付けていても、ホックや面ファスナーなどで着脱自在に取付けてもよい。［図１６］は雨衣２１と帽子２３の背面模式図であり、後身頃２６の上下二カ所に重ね合せ部４が設けられている。下部重ね合せ部の上段布帛には再帰反射素材のパイピング２７が施されている。上部重ね合せ部は装着者が違和感を感じない位置、例えば神経が過敏な肩甲骨に当たらない位置に設けることが好ましい。
また重ね合せ部４はベンチュレーション効果による通気性向上のため通常上下二カ所に設けられる。雨衣に着脱自在に取付けられる帽子２３の後方に空気流出用の重ね合わせ部４が設けられ、帽子の前面から帽子内に侵入する風を重ね合わせ部４から流出させて帽子が飛ばされることを防止している。帽子２３に設けられる重ね合せ部４は帽子の後方のほかに、両側の耳の近くに設けると外からの声や音を聞き取り易くなる。【００２８】［図１７］は、他の雨衣２１と帽子２３の前面模式図であり、警備など夜間作業用に適している。重ね合せ部４が左右の前身頃ａ，ａ’の上下二カ所に設けられている。また、左右の脇見頃ｂ、ｂ’の上部に［図１５］と同じ通気部２４が設けられている。２５は左右の脇見頃ｂ、ｂ’に設けられた脇ポケットであり、２８は左前身頃に設けられた胸ポケットである。２９は右袖の上部に設けられた袖ポケットである。上下の重ね合せ部４の上段布帛２には再帰反射素材のパイピング２７が施されている。また、左袖の上部に再帰反射素材のパイピング２７が三重に施されている。帽子２３は視界を確保するため透明である。［図１８］は雨衣２１と帽子２３の後面模式図であり、［図１６］と同様に、後身頃２６の上下二カ所に重ね合せ部４が設けられ、上下部重ね合せ部４の下布帛に再帰反射素材のパイピング２７が施されている。雨衣に着脱自在に取付けられる帽子２３の後方に空気流出用の重ね合わせ部４が設けられている。【００２９】［図１９］は、袖が着脱可能な雨衣２１と帽子２３の前面模式図である。また、重ね合せ部４には再帰反射素材のパイピング２７は施されていない。その他は［図１５］と同じため説明を省略する。［図２０］は、雨衣２１と帽子２３の後面模式図である。後身頃２３の上部一カ所のみに重ね合せ部４が設けられているためベンレーション効果は期待できないが重ね合せ部を一カ所とすることでコストダウンを図ることができる。【００３０】［図２１］はズボン２９の前面をモデル的に示す模式図である。ズボン２９では脚を動かし易いように重ね合せ部４を膝下部に設けるのが好ましい。重ね合せ部はズボンの全周であっても半周であってもよい。また、ベルト又はゴムライン２２の下部に、幅２〜３ｃｍのメッシュ布帛を胴回り全周、半周、あるいは長さ５〜１０ｃｍのメッシュ布帛を複数取り付けるか、また、内径６．５〜１５ｍｍのアイレットを、例えば５〜８個取り付けて重ね合せ部４から流入する外気の排出口とする。メッシュ布帛を胴回り全周又は半周取り付ける場合は、ベルトラインの下部と上段布帛を細幅の布帛で連結し、メッシュ布帛を補強することが好ましい。ベルト付近に設けられたメッシュ布帛、又はアイレットは上着を着用すると隠れるため雨水が流入することはない。３１はポケットである。【００３１】上着及びズボンに設けられた重ね合せ部４の位置と形状は、通気性の衣服の種類、着用者の身体の大きさ、着用場所、デザイン等を考慮して適宜決定される。また、各縫着ラインには、日が暮れるのが早い雨天の日の安全性を確保するため、再帰反射素材のパイピングなどを施すことが好ましい。【００３２】［図２２］は本発明の通気構造を有する布帛を使用した他の雨衣２１の前面模式図であり、左右の前身頃ａ，ａ’の上下二カ所に重ね合せ部４が設けられている。また、左右の脇見頃ｂ、ｂ’の上下二カ所にも重ね合せ部４が設けられ、袖にも重ね合せ部４が設けられている。［図２３］は背面２６の模式図であり、後身頃２６の上下二カ所に重ね合せ部４が設けられている。下部重ね合せ部４の上段布帛の下端部が捲き上がらないように重ね合せ部４の中心で上下段布帛を縫着している。【００３３】［図２４］はズボン２９をモデル的に示す模式図である。ズボン２９では脚を動かせやすいように重ね合せ部４を膝下部に設けるのが好ましい。また、ズボンの上部ベルト芯縫付ラインから下方に傾斜した重ね合せ部４が設けられているが、【００３４】［図２５］は本発明の通気構造を有する布帛を使用した作業着の前面模式図であり、左右の前身頃ａ，ａ’の上下二カ所に重ね合せ部４が設けられている。また、左右の袖に重ね合せ部４が設けられている。１７はスライドファスナーである。［図２６］は作業着の後面模式図であり、後身頃２６の上下二カ所に重ね合せ部４が設けられている。【００３５】［図２７］は本発明の通気構造を有する布帛を使用したジャンバーの前面模式図であり、左右の前身頃ａ，ａの上部に設けられた上部重ね合せ部４と袖下から斜め下方に伸びる重ね合せ部４が設けられている。［図２８］はジャンバーの後面模式図であり、後身頃２６の上部に重ね合せ部４が設けられ、前身頃と同様に袖下から斜め下方に伸びる重ね合せ部４が設けられている。【００３６】［図２９］は、ランニングウエアの前面模式図であり、上下３枚の布片からなる前身頃ａ及び左右の脇見頃ｂ、ｂ’で構成されている。また、前見頃の上下二カ所に重ね合せ部４が設けられている。上下の重ね合せ部４は後見頃にも同様に設けられている。ランニングウエアでは通気性を向上させるため通気性の裏地、例えばメッシュ布帛などを取り付けることが好ましい。【００３７】［図３０］は本発明の通気性の布帛を円筒状に加工した袖口３２の模式図であり、袖口３２の直径が先端方向に向けて漸次縮小されている。４は重ね合せ部であり、２、３は上下段布帛である。該重ね合せ部４は袖の全周囲、半周囲、あるいは周囲の一部に設けてもよい。また、袖口３２となる下段布帛３の先端に面ファスナー３３を取り付けると袖口３２の先端を手首に締め付けることができ袖口３２からの雨摘の侵入が阻止できる。面ファスナー３３の代わりに下段布帛の先端にリング状の空洞を設け、この空洞内にゴム又は細紐を挿入して袖口３２の先端を締め付けるようにしてもよい。【００３８】［図３１］は、本発明の通気構造を有する布帛を使用した傘、又はパラソル（以下傘という）３４の模式図である。傘に使用する傘布４５は防水性で通気性がなく、しかも雨摘が流下しやすいようにお椀を伏せた形状をしているため、風が強いと傘３４が飛ばされたり、破損する危険があるが、傘布４５に通気性の布帛１を使用して、重ね合せ部４を傘の上部に設けると傘３４の内側のお椀内に侵入する風を重ね合せ部４から外部へ逃がして、傘が受ける風圧を減衰させることができる。重ね合せ部４は、傘の大きさ、使用目的等により、複数設けてもよい。また、傘骨間に設ける重ね合せ部４の数は同じでも、異なっていてもよい。重ね合せ部４は傘を折り畳みやすい位置に設けることが好ましい。【００３９】［図３２］は屋外で使用される屋外用遮蔽幕３６の模式図であり、屋外における着替やシャワー用として使用されるが、強風時に風圧で飛ばされることがある。該遮蔽幕３６は、例えば４本のパイプ状支柱３７を連結パイプ３８で連結し、その周囲を通気性の布帛１で囲んでいる。重ね合せ部４を遮蔽幕３６の上下部に設けることにより遮蔽幕３６の内部に侵入する風を重ね合せ部４から外部へ逃がして、遮蔽幕が受ける風圧を減衰させることができるため風の強いときでも遮蔽幕３６が飛ばされることがない。３９はスライドファスナーで開閉する出入り口である。【００４０】［図３３］は、キャンプ用の簡易設営テント４０の模式図である。簡易テントは、例えば４本の支柱４１と各支柱間に通気性の布帛１が張設されて４つの屋根面を形成している。また、４つの屋根面の内の一つに出入口４２が設けられている。また、屋根面に重ね合せ部４が設けられている。例えば、上部重ね合せ部４を屋根の頂部付近に設け、下部重ね合せ部４をテントの下部に設けるとベンチュレーション効果によりテント内の湿った暖かい空気が効率よく排気されてテント内部を快適な空間とすることができる。【００４１】［図３４］は、幌付トラック４３の模式図であり、トラック４３の荷台に複数の幌枠４４が取り付けられ、該幌枠４４に通気性の布帛１が張設されている。幌の上下に重ね合せ部４を設けるとベンチュレーション効果により幌の内部を快適な空間とすることができる。【００４２】実施例１
本発明の通気構造を有する布帛を使用した雨カッパの効果を確認するため分速９０ｍのトレッドミル歩行時の雨衣内温度及び外気温を下記の３条件で測定し、外気と雨衣間の温度差を求めた。
（１）雨衣の第２の開口をテープで閉止した状態で無風下での走行を開始し、４０分後にテープを剥して開口を開放し、その状態で２０分間歩行する。
（２）上記条件と同様であるが、２０分間歩行後に被験者の２ｍ前方から工業用扇風機で送風（弱風）する。
（３）雨衣の第２の開口を開放した状態で、被験者の２ｍ前方から工業用扇風機で送風（弱風）しながら６０分間歩行する。
なお、実験に使用した雨カッはナイロンにウレタンをコーティングした耐水圧：２０００ｍｍ以上、透湿：０の布帛を使用して［図１５］のカッパを製作した。布帛は［図９］の通気構造を採用した。また、ポリエステルのメッシュ布帛からなる収容空間に三次元立体編物（２０ｍｍ幅に切断した旭化成商事（株）製「フォージョン▲Ｒ▼」品番：ＡＫＥ６５７１０（厚さ：１０ｍｍ））を収容した通気部材を使用した。裏地にはポリエステルのメッシュ布帛を使用した。
温度の計測にはＪ熱電対を使用し、Ｊ熱電対が衣服やカッパに接触しないように衣服の表面に両面接着テープで張り付け、その上からカッパを着用した。
被験者はポリエステル製の半袖Ｔシャツの上に同素材のロングＴシャツを着用した。
［図３５］は、上記３条件でトレッドミル歩行中の外気温とカッパ内温度を測定し、外気温とカッパ内温度の差の変化を示すグラフである。グラフから歩行開始前に第２の開口をテープで閉止し、４０分後にテープを剥して開口を開放すると、外気とカッパ内の温度が小さくなったことから、本発明の通気構造が有効であることが明らかである。【００４３】実施例２及び比較例１
次に、本発明の通気構造を有する布帛を使用したカッパ１（実施例１で使用したカッパ）と機能の異なる２種類の布帛を使用したカッパ２及び３の効果を比較するため被験者に各カッパを着用させて、２ｍ前方から工業用扇風機で送風（弱風）しながらトレッドミル歩行（分速９０ｍ）を６０分間行なわせ、トレッドミル歩行中の外気温、カッパ内温度、心拍数、酸素摂取量を測定した。
カッパ１：              発明品
布帛：ナイロンにウレタンをコーティング
耐水圧：２００００ｍｍ以上
透湿：０
カッパ２：              ノースフェイス社製
商品名：ノースフェイス  ＮＰ１０１８０
布帛：「ＨＹＶＥＮＴ▲Ｒ▼・Ｄ」（ナイロンに防水透湿ウレ                                タンをコーティング）
耐水圧：２００００ｍｍ以上
透湿：１５０００ｇ／ｍ２／２４ｈ以上
カッパ３：              マック社製
商品名：フェニックスＡＳ−７２００
布帛：ナイロンに透湿ウレタンをコーティング
耐水圧：１００００ｍｍ以上
透湿：２０００ｇ／ｍ２／２４ｈ以上【００４４】［図３６］は、各カッパ着用時のトレッドミル歩行中の外気温とカッパ内温度差の変化を示すグラフである。いずれのカッパも歩行開始１０分後に定常を示したが、カッパ３は外気温よりもカッパ内温度が約２．２℃高い状態で定常となり、カッパ１とカッパ２はともに外気温よりも約１．９℃高い状態で定常となった。
このことからカッパ３はカッパ１、２よりもカッパ内温度が高く、かつ、カッパ１とカッパ２のカッパ内温度は同等、言い換えれば、本発明の通気構造を有する布帛を使用したカッパと、透湿性の優れた布帛を使用したカッパの透湿性能は同等である。【００４５】［図３７］は、各カッパ着用時のトレッドミル歩行中の被験者の心拍数の変化を示すグラフである。図からカッパ１を着用して歩行した場合は、カッパ２、３を着用して歩行した場合と比べ心拍数が低いことが明らかである。
心拍数は温度の高い環境で作業や運動をすると高い値を示すため、各カッパ着用時のトレッドミル歩行中の歩行速度が同じ速度（９０ｍ／分）なので、心拍数が低いということはカッパ１がカッパ２、３と比べ生体への負担が少ないことを示している。【００４６】［図３８］は、各カッパ着用時のトレッドミル歩行中の被験者の酸素摂取量の変化を示すグラフである。酸素摂取量は、作業や運動中のエネルギー消費と比例関係にあり、温度の高い環境では上昇する。
グラフからカッパ１を着用して歩行した場合は、カッパ２、３を着用して歩行した場合と比べ酸素摂取量が明らかに低いことを示している。【００４７】［図３９］は、各カッパ着用時のトレッドミル歩行中の被験者の心拍数と酸素摂取量から計算された酸素脈の変化を示すグラフである。酸素脈とは心臓が１拍収縮した時の体重１ｋｇあたりの酸素の供給量を示す値であり、酸素脈が高い値の場合は、心臓が効率よく働いていることを示す指標である。グラフからカッパ１を着用して歩行した場合は、カッパ２、３を着用して歩行した場合と比べ明らかに酸素脈が高いことを示している。【００４８】上記各グラフから換気構造を有する本発明の布帛を使用したカッパ１は、通気性については、透湿性が優れた布帛を使用したカッパ２と同等であるが、透湿性のない布帛を使用したカッパ３より優れていた。
一方、生体への負荷については、本発明の布帛を使用したカッパ１は、カッパ２、３よりも負担度が低く、疲労が少ない。【００４９】上記実施例と比較例は雨天下ではなく屋内で行われたものであるが、雨天下では外気温度が低く、カッパ内の温度は体の発熱によって上昇するため透湿性がさらに向上する可能性がある。
また、雨天下では歩行時に風圧を受け、通気量が増大するためカッパの性能が上昇する可能性がある。
更に、本発明の通気構造を有する布帛の優れた機能は、晴天時に着用するジャンバー、ユニフォームなどの衣服、テントなどのアウトドア製品にも適用できる。【００５０】実施例３
実施例１で使用した通気構造を有する布帛を使用したカッパ１の強風下における第一の開口からの雨水の侵入の有無について試験した。まず、カッパに設けられた第一の開口を囲んで雨水の侵入確認用のティッシュペーパーを張り付けた後、綿の肌着の上にポリエステルのスポーツシャツを着た被験者にカッパを着用させた。工業用扇風機で送風（強）し、かつ、送風口に水を滴下させて風雨の激しい状態とした。次に工業用扇風機の２ｍ前方で被験者に１０分間体操をしてもらった。その後第一の開口に取付けたティッシュペーパーが濡れているか否かを確認したが、濡れは全く確認できなかった。このことから第一の開口から風と共に侵入する水滴が三次元立体織物の多数の連結糸で捕捉されるとともに、カッパの表面を濡らす水膜が下段布帛の先端に設けられた折り曲げ部で阻止されていることから、本発明の通気構造を有する布帛を使用したカッパは雨水の侵入を確実に阻止することができる。
【産業上の利用可能性】
【００５１】本発明の通気構造を有する布帛は、型崩れがなく、かつ通気性に優れ、しかも開口が圧迫されて閉止されることがないため蓄積する熱気と湿気が外部に効率よく放散でき作業服、ユニフォーム、カッターシャツ、ジャンバー、ワイシャツ、学生服等の衣服用の布帛として好適である。
また、雨水の侵入を阻止する防水加工された通気構造を有する布帛は、内部に熱気と湿気が蓄積して蒸れやすいレインコート、ヤッケ、アノラックなどの雨衣や、各種テント、トラックや乗用車などの幌、遮蔽幕などのアウトドア製品に好適である。更に、風圧により飛ばされたり、破損する恐れのある幕、雨傘、日傘、レインコートのフードなどに使用される。
【符号の説明】
【００５２】  １  通気性の布帛                  ２  上段布帛
３  下段布帛                      ４  重ね合せ部
５  通気部材                      ６  第一の通気口
７  第二の通気口                  ８  メッシュ布帛
９  収納空間                    １０  三次元立体織物
１１  縫代                        １２  芯材
１３  折返し片                    １４  目止めテープ
１５  通気部材ユニット            １６  連結手段
１７  スライドファスナー          １８  スライドファスナー
１９  支持テープ（左）            ２０  支持テープ（右）
２１  雨衣                        ２２  ベルト又はゴムライン
２３  帽子                        ２４  通気部
２５  脇ポケット                  ２６  後見頃
２７  再帰反射素材のパイピング    ２８  胸ポケット
２９  ズボン                      ３０  メッシュ布帛
３１  ポケット                    ３２  袖口
３３  面ファスナー                ３４  傘
３５  傘布                        ３６  遮蔽幕
３７  パイプ状支柱                ３８  連結パイプ
３９  出入口                      ４０  簡易テント
４１  支柱                        ４２  出入口
４３  トラック                    ４４  幌
ａ  左前身頃                      ａ’右前身頃
ｂ  左脇見頃                      ｂ’右脇見頃
【図１】
2013256746.tif 000003
【図２】
2013256746.tif 000004
【図３】
2013256746.tif 000005
【図４】
2013256746.tif 000006
【図５】
2013256746.tif 000007
【図６】
2013256746.tif 000008
【図７】
2013256746.tif 000009
【図８】
2013256746.tif 000010
【図９】
2013256746.tif 000011
【図１０】
2013256746.tif 000012
【図１１】
2013256746.tif 000013
【図１２】
2013256746.tif 000014
【図１３（１）】
2013256746.tif 000015
【図１３（２）】
2013256746.tif 000016
【図１４】
2013256746.tif 000017
【図１５】
2013256746.tif 000018
【図１６】
2013256746.tif 000019
【図１７】
2013256746.tif 000020
【図１８】
2013256746.tif 000021
【図１９】
2013256746.tif 000022
【図２０】
2013256746.tif 000023
【図２１】
2013256746.tif 000024
【図２２】
2013256746.tif 000025
【図２３】
2013256746.tif 000026
【図２４】
2013256746.tif 000027
【図２５】
2013256746.tif 000028
【図２６】
2013256746.tif 000029
【図２７】
2013256746.tif 000030
【図２８】
2013256746.tif 000031
【図２９】
2013256746.tif 000032
【図３０】
2013256746.tif 000033
【図３１】
2013256746.tif 000034
【図３２】
2013256746.tif 000035
【図３３】
2013256746.tif 000036
【図３４】
2013256746.tif 000037
【図３５】
2013256746.tif 000038
【図３６】
2013256746.tif 000039
【図３７】
2013256746.tif 000040
【図３８】
2013256746.tif 000041
【図３９】
2013256746.tif 000042